(57)【要約】【課題】移動局によって虚偽の無線基地局のＣＳＧ  ＩＤが通知されたことを認識する。【解決手段】本発明に係る移動通信方法であって、交換局ＭＭＥが、移動局ＵＥが無線基地局ＨｅＮＢ＃２のＣＳＧ  ＩＤ＃２２に属していると判定した場合、ＣＳＧ  Ｍｅｍｂｅｒｓｈｉｐ  Ｓｔａｔｕｓ（ｍｅｍｂｅｒ）及び無線基地局ＨｅＮＢ＃２のＣＳＧ  ＩＤ＃２２を含むＨＡＮＤＯＶＥＲ  ＲＥＱＵＥＳＴを送信する工程と、ｈｙｂｒｉｄモードで動作している無線基地局ＨｅＮＢ＃２が、ＨＡＮＤＯＶＥＲ  ＲＥＱＵＥＳＴに含まれる無線基地局ＨｅＮＢ＃２のＣＳＧ  ＩＤ＃２２と自身が管理する無線基地局ＨｅＮＢ＃２のＣＳＧ  ＩＤ＃３１とが一致しないと判定した場合、ＣＳＧ  Ｍｅｍｂｅｒｓｈｉｐ  Ｓｔａｔｕｓ（ｎｏｎ  ｍｅｍｂｅｒ）を含むＨＡＮＤＯＶＥＲ  ＲＥＱＵＥＳＴ  ＡＣＫを送信する工程とを有する。【選択図】図３
2011097476.tif 000002
【特許請求の範囲】
【請求項１】
ゲートウェイ装置に接続されている第２無線基地局が、該第２無線基地局における登録移動局及び非登録移動局のそれぞれに対して差別化して移動通信サービスを提供することができるハイブリッドモードで動作している場合に、移動局の第１無線基地局配下のセルから該第２無線基地局配下のセルに対するハンドオーバ処理を行う移動通信方法であって、
交換局が、前記第１無線基地局から、前記第２無線基地局の登録グループ識別情報を含む第１ハンドオーバ要求信号を受信する工程と、
前記交換局が、前記移動局が前記第２無線基地局の登録グループ識別情報に属していると判定した場合、その旨を示す第１所定情報及び該第２無線基地局の登録グループ識別情報を含む第２ハンドオーバ要求信号を、前記ゲートウェイ装置を介して該第２無線基地局に送信する工程と、
前記第２無線基地局が、前記第２ハンドオーバ要求信号に含まれる前記第２無線基地局の登録グループ識別情報と、自身が管理する該第２無線基地局の登録グループ識別情報とが一致しないと判定した場合、前記移動局に対して非登録移動局としての移動通信サービスを提供することを決定し、該移動局が該第２無線基地局の登録グループ識別情報に属していない旨を示す第２所定情報を含むハンドオーバ応答信号を、前記ゲートウェイ装置を介して前記交換局に送信する工程とを有することを特徴とする移動通信方法。
【請求項２】
前記交換局が、前記第２所定情報を含むハンドオーバ応答信号を受信した場合に、前記移動局による以降の通信を不可とする工程を有することを特徴とする請求項１に記載の移動通信方法。
【請求項３】
ゲートウェイ装置に接続されている無線基地局であって、
前記ゲートウェイ装置を介して、交換局から、移動局が前記無線基地局の登録グループ識別情報に属しているか否かについて示す所定情報及び該無線基地局の登録グループ識別情報を含むハンドオーバ要求信号を受信するように構成されているハンドオーバ処理部と、
前記ハンドオーバ要求信号に含まれる前記無線基地局の登録グループ識別情報と、自身が管理する該無線基地局の登録グループ識別情報とが一致するか否かについて判定するように構成されている判定部とを具備し、
前記無線基地局における登録移動局及び非登録移動局のそれぞれに対して差別化して移動通信サービスを提供することができるハイブリッドモードで動作している場合で、かつ、前記判定部によって、前記ハンドオーバ要求信号に含まれる前記無線基地局の登録グループ識別情報と、自身が管理する該無線基地局の登録グループ識別情報とが一致しないと判定された場合、前記ハンドオーバ処理部は、前記ゲートウェイ装置を介して、前記交換局に対して、前記移動局が該無線基地局の登録グループ識別情報に属していない旨を示す所定情報を含むハンドオーバ応答信号を送信するように構成されていることを特徴とする無線基地局。
【発明の詳細な説明】
【技術分野】
【０００１】
本発明は、移動通信方法及び無線基地局に関する。
【背景技術】
【０００２】
図５を参照して、ＬＴＥ（Ｌｏｎｇ  Ｔｅｒｍ  Ｅｖｏｌｕｔｉｏｎ）方式の移動通信システムにおいて、移動局ＵＥの無線基地局ｅＮＢ配下のセル＃１からｈｙｂｒｉｄモードで動作している無線基地局ＨｅＮＢ＃２配下のセル＃２へのハンドオーバ処理について簡単に説明する。
【０００３】
図５に示すように、ステップＳ２００１において、移動局ＵＥは、無線基地局ｅＮＢに対して、セル＃２に係るＰＣＩ（Ｐｈｙｓｉｃａｌ  Ｃｅｌｌ  ＩＤ）及びＥ-ＣＧＩ（Ｅ-ＵＴＲＡＮ  Ｃｅｌｌ  Ｇｌｏｂａｌ  Ｉｄｅｎｔｉｔｙ）（ｙｙｙ.００１）と、無線基地局ＨｅＮＢ＃２のＣＳＧ  ＩＤ（Ｃｌｏｓｅｄ  Ｓｕｂｓｃｒｉｂｅｒ  Ｇｒｏｕｐ  Ｉｄｅｎｔｉｔｙ）＃３１とを含むＭｅａｓｕｒｅｍｅｎｔ  Ｒｅｐｏｒｔを送信する。
【０００４】
ステップＳ２００２において、無線基地局ｅＮＢは、交換局ＭＭＥに対して、セル＃２に係るＥ-ＣＧＩ（ｙｙｙ.００１）と、無線基地局ＨｅＮＢ＃２のＣＳＧ  ＩＤ＃３１と、無線基地局ＨｅＮＢ＃２が動作しているアクセスモードを示すＡｃｃｅｓｓ  Ｍｏｄｅ（ｈｙｂｒｉｄ）とを含むＨＡＮＤＯＶＥＲ  ＲＥＱＵＩＲＥＤを送信する。
【０００５】
無線基地局ＨｅＮＢ＃２のＣＳＧ  ＩＤ＃３１は、無線基地局ｅＮＢから無線基地局ＨｅＮＢ＃２に対して情報を送信するために用いられるＳｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒを用いて無線基地局ＨｅＮＢ＃２にも送信される。
【０００６】
ステップＳ２００３において、交換局ＭＭＥは、ＵＥ  ＣＳＧ  Ｓｕｂｓｃｒｉｐｔｉｏｎ  ｉｎｆｏｒｍａｔｉｏｎを用いたＡｃｃｅｓｓ  Ｃｈｅｃｋによって、受信したＨＡＮＤＯＶＥＲ  ＲＥＱＵＩＲＥＤに含まれる無線基地局ＨｅＮＢ＃２のＣＳＧ  ＩＤ＃３１に移動局ＵＥが属していない、すなわち、かかるＨＡＮＤＯＶＥＲ  ＲＥＱＵＩＲＥＤに含まれるＣＳＧ  ＩＤ＃３１によって特定される無線基地局ＨｅＮＢ＃２に対して移動局ＵＥがアクセス権（ＣＳＧアクセス権）を有していないと判定する。
【０００７】
ステップＳ２００４において、交換局ＭＭＥは、無線基地局ＨｅＮＢ＃２のＣＳＧ  ＩＤ＃３１と、移動局ＵＥがＣＳＧ  ＩＤ＃３１によって特定される無線基地局ＨｅＮＢ＃２に対してＣＳＧアクセス権を有していない旨を示すＣＳＧ  Ｍｅｍｂｅｒｓｈｉｐ  Ｓｔａｔｕｓ（ｎｏｎ  ｍｅｍｂｅｒ）とを含むＨＡＮＤＯＶＥＲ  ＲＥＱＵＥＳＴを、ゲートウェイ装置ＨｅＮＢ-ＧＷを介して無線基地局ＨｅＮＢ＃２に送信する。
【０００８】
無線基地局ＨｅＮＢ＃２のＣＳＧ  ＩＤ＃３１は、無線基地局ｅＮＢからＨＡＮＤＯＶＥＲ  ＲＥＱＵＩＲＥＤで送信されたＳｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒを引き継いで無線基地局ＨｅＮＢ＃２に送信される。
【０００９】
ステップＳ２００５において、無線基地局ＨｅＮＢ＃２は、Ｃｏｎｓｉｓｔｅｎｃｙ  Ｃｈｅｃｋによって、受信したＨＡＮＤＯＶＥＲ  ＲＥＱＵＥＳＴに含まれる無線基地局ＨｅＮＢ＃２のＣＳＧ  ＩＤ＃３１と、自身が管理する無線基地局ＨｅＮＢ＃２のＣＳＧ  ＩＤ＃３１とが一致すると判定する。
【００１０】
ステップＳ２００６において、無線基地局ＨｅＮＢ＃２は、移動局ＵＥに対して非登録移動局（Ｎｏｎ  Ｍｅｍｂｅｒ）としての移動通信サービスを提供することを決定し、ゲートウェイ装置ＨｅＮＢ-ＧＷを介して、交換局ＭＭＥに対して、ＨＡＮＤＯＶＥＲ  ＲＥＱＵＥＳＴ  ＡＣＫを送信する。
【先行技術文献】
【非特許文献】
【００１１】
【非特許文献１】３ＧＰＰ寄書、Ｒ３-０９２６４５「Ａｃｃｅｓｓ  ｃｏｎｔｒｏｌ  ｆｏｒ  ｈａｎｄｏｖｅｒ  ｐｒｏｃｅｄｕｒｅ  ｔｏ  ＬＴＥ  ＣＳＧ/ｈｙｂｒｉｄ  ｃｅｌｌｓ」、２００９年１０月
【非特許文献２】３ＧＰＰ  ＴＳ３６.４１３（Ｖ９.０.０）「Ｓ１  Ａｐｐｌｉｃａｔｉｏｎ  Ｐｒｏｔｏｃｏｌ（Ｓ１ＡＰ）」、２００９年９月
【発明の概要】
【発明が解決しようとする課題】
【００１２】
ここで、出願人は、様々な観点で、上述の移動通信システムについて検討した結果、上述の移動通信システムでは、移動局ＵＥが、Ｍｅａｓｕｒｅｍｅｎｔ  Ｒｅｐｏｒｔによって、無線基地局ＨｅＮＢ＃２のＣＳＧ  ＩＤを虚偽って送信した場合に、以下のような問題点が発生することを発見した。かかる問題点について、図６を参照して説明する。
【００１３】
図６に示すように、ステップＳ３００１において、移動局ＵＥは、無線基地局ｅＮＢに対して、セル＃２に係るＰＣＩ及びＥ-ＣＧＩ（ｙｙｙ.００１）と、虚偽の無線基地局ＨｅＮＢ＃２のＣＳＧ  ＩＤ＃２２とを含むＭｅａｓｕｒｅｍｅｎｔ  Ｒｅｐｏｒｔを送信する。
【００１４】
ステップＳ３００２において、無線基地局ｅＮＢは、交換局ＭＭＥに対して、セル＃２に係るＥ-ＣＧＩ（ｙｙｙ.００１）と、受信したＭｅａｓｕｒｅｍｅｎｔ  Ｒｅｐｏｒｔに含まれていた虚偽の無線基地局ＨｅＮＢ＃２のＣＳＧ  ＩＤ＃２２と、Ａｃｃｅｓｓ  Ｍｏｄｅ（ｈｙｂｒｉｄ）とを含むＨＡＮＤＯＶＥＲ  ＲＥＱＵＩＲＥＤを送信する。
【００１５】
ステップＳ３００３において、交換局ＭＭＥは、ＵＥ  ＣＳＧ  Ｓｕｂｓｃｒｉｐｔｉｏｎ  ｉｎｆｏｒｍａｔｉｏｎを用いたＡｃｃｅｓｓ  Ｃｈｅｃｋによって、受信したＨＡＮＤＯＶＥＲ  ＲＥＱＵＩＲＥＤに含まれる虚偽の無線基地局ＨｅＮＢ＃２のＣＳＧ  ＩＤ＃２２に移動局ＵＥが属している、すなわち、かかるＨＡＮＤＯＶＥＲ  ＲＥＱＵＩＲＥＤに含まれるＣＳＧ  ＩＤ＃２２によって特定される無線基地局ＨｅＮＢ＃２に対して移動局ＵＥがＣＳＧアクセス権を有していると判定する。
【００１６】
なお、無線基地局ＨｅＮＢ＃２は、ゲートウェイ装置ＨｅＮＢ-ＧＷに接続されているため、交換局ＭＭＥは、無線基地局ＨｅＮＢ＃２のＣＳＧ  ＩＤについて管理していない。
【００１７】
ステップＳ３００４において、交換局ＭＭＥは、移動局ＵＥが無線基地局ＨｅＮＢ＃２のＣＳＧ  ＩＤ＃２２に属している旨を示すＣＳＧ  Ｍｅｍｂｅｒｓｈｉｐ  Ｓｔａｔｕｓ（ｍｅｍｂｅｒ）を含むＨＡＮＤＯＶＥＲ  ＲＥＱＵＥＳＴを、ゲートウェイ装置ＨｅＮＢ-ＧＷを介して無線基地局ＨｅＮＢ＃２に送信する。
【００１８】
ステップＳ３００５において、無線基地局ＨｅＮＢ＃２は、Ｃｏｎｓｉｓｔｅｎｃｙ  Ｃｈｅｃｋによって、受信したＨＡＮＤＯＶＥＲ  ＲＥＱＵＥＳＴに含まれる無線基地局ＨｅＮＢ＃２のＣＳＧ  ＩＤ＃２２と、自身が管理する無線基地局ＨｅＮＢ＃２のＣＳＧ  ＩＤ＃３１とが一致しないと判定する。
【００１９】
ステップＳ３００６において、無線基地局ＨｅＮＢ＃２は、移動局ＵＥに対して非登録移動局（Ｎｏｎ  Ｍｅｍｂｅｒ）としての移動通信サービスを提供することを決定し、ゲートウェイ装置ＨｅＮＢ-ＧＷを介して、交換局ＭＭＥに対して、ＨＡＮＤＯＶＥＲ  ＲＥＱＵＥＳＴ  ＡＣＫを送信する。
【００２０】
ここで、ＨＡＮＤＯＶＥＲ  ＲＥＱＵＥＳＴ  ＡＣＫを受信した交換局ＭＭＥは、移動局ＵＥに対して、無線基地局ＨｅＮＢ＃２において非登録移動局（Ｎｏｎ  Ｍｅｍｂｅｒ）としての移動通信サービスを提供することが決定されたにも関わらず、移動局ＵＥに対して登録移動局（Ｍｅｍｂｅｒ）としての移動通信サービスを提供することが決定されたと認識してしまうという問題点があった。
【００２１】
すなわち、かかる場合、交換局ＭＭＥは、移動局ＵＥによって虚偽の無線基地局ＨｅＮＢ＃２のＣＳＧ  ＩＤ＃２２が通知されたことを認識することができないという問題点があった。
【００２２】
そこで、本発明は、上述の課題に鑑みてなされたものであり、交換局ＭＭＥが、無線基地局ＨｅＮＢ＃２において許可された移動通信サービスを認識し、移動局によって虚偽の無線基地局のＣＳＧ  ＩＤが通知されたことを認識することができる移動通信方法及び無線基地局を提供することを目的とする。
【課題を解決するための手段】
【００２３】
本発明の第１の特徴は、ゲートウェイ装置に接続されている第２無線基地局が、該第２無線基地局における登録移動局及び非登録移動局のそれぞれに対して差別化して移動通信サービスを提供することができるハイブリッドモードで動作している場合に、移動局の第１無線基地局配下のセルから該第２無線基地局配下のセルに対するハンドオーバ処理を行う移動通信方法であって、交換局が、前記第１無線基地局から、前記第２無線基地局の登録グループ識別情報を含む第１ハンドオーバ要求信号を受信する工程と、前記交換局が、前記移動局が前記第２無線基地局の登録グループ識別情報に属していると判定した場合、その旨を示す第１所定情報及び該第２無線基地局の登録グループ識別情報を含む第２ハンドオーバ要求信号を、前記ゲートウェイ装置を介して該第２無線基地局に送信する工程と、前記第２無線基地局が、前記第２ハンドオーバ要求信号に含まれる前記第２無線基地局の登録グループ識別情報と、自身が管理する該第２無線基地局の登録グループ識別情報とが一致しないと判定した場合、前記移動局に対して非登録移動局としての移動通信サービスを提供することを決定し、該移動局が該第２無線基地局の登録グループ識別情報に属していない旨を示す第２所定情報を含むハンドオーバ応答信号を、前記ゲートウェイ装置を介して前記交換局に送信する工程とを有することを要旨とする。
【００２４】
本発明の第２の特徴は、ゲートウェイ装置に接続されている無線基地局であって、前記ゲートウェイ装置を介して、交換局から、移動局が前記無線基地局の登録グループ識別情報に属しているか否かについて示す所定情報及び該無線基地局の登録グループ識別情報を含むハンドオーバ要求信号を受信するように構成されているハンドオーバ処理部と、前記ハンドオーバ要求信号に含まれる前記無線基地局の登録グループ識別情報と、自身が管理する該無線基地局の登録グループ識別情報とが一致するか否かについて判定するように構成されている判定部とを具備し、前記無線基地局における登録移動局及び非登録移動局のそれぞれに対して差別化して移動通信サービスを提供することができるハイブリッドモードで動作している場合で、かつ、前記判定部によって、前記ハンドオーバ要求信号に含まれる前記無線基地局の登録グループ識別情報と、自身が管理する該無線基地局の登録グループ識別情報とが一致しないと判定された場合、前記ハンドオーバ処理部は、前記ゲートウェイ装置を介して、前記交換局に対して、前記移動局が該無線基地局の登録グループ識別情報に属していない旨を示す所定情報を含むハンドオーバ応答信号を送信するように構成されていることを要旨とする。
【発明の効果】
【００２５】
以上説明したように、本発明によれば、交換局が、ゲートウェイ装置に接続されている無線基地局において許可された移動通信サービスを認識し、移動局によって虚偽の無線基地局のＣＳＧ  ＩＤが通知されたことを認識することができる移動通信方法及び無線基地局を提供することができる。
【図面の簡単な説明】
【００２６】
【図１】本発明の第１の実施形態に係る移動通信システムの全体構成図である。
【図２】本発明の第１の実施形態に係る無線基地局ＨｅＮＢの機能ブロック図である。
【図３】本発明の第１の実施形態に係る移動通信システムにおいて送信されるＨＡＮＤＯＶＥＲ  ＲＥＱＵＥＳＴ  ＡＣＫに含まれる情報要素について説明するための図である。
【図４】本発明の第１の実施形態に係る移動通信システムの動作を説明するための図である。
【図５】ＬＴＥ方式の移動通信システムにおいて行われるＳ１ハンドオーバについて説明するための図である。
【図６】ＬＴＥ方式の移動通信システムにおいて行われるＳ１ハンドオーバの問題点について説明するための図である。
【発明を実施するための形態】
【００２７】
（本発明の第１の実施形態に係る移動通信システムの構成）
図１乃至図３を参照して、本発明の第１の実施形態に係る移動通信システムの構成について説明する。
【００２８】
本実施形態に係る移動通信システムは、ＬＴＥ方式の移動通信システムであって、図１に示すように、交換局ＭＭＥと、ゲートウェイ装置ＨｅＮＢ-ＧＷと、無線基地局ｅＮＢ、ＨｅＮＢ＃１、ＨｅＮＢ＃２、ＨｅＮＢ＃３とを具備している。無線基地局ＨｅＮＢ＃２、ＨｅＮＢ＃３は、ゲートウェイ装置ＨｅＮＢ-ＧＷ配下に収容されている。
【００２９】
ここで、無線基地局ｅＮＢの識別情報ｅＮＢ  ＩＤは「ｚｚｚ.０００」であり、無線基地局ＨｅＮＢ＃１の識別情報ＨｅＮＢ  ＩＤは「ｘｘｘ.１００」であり、無線基地局ＨｅＮＢ＃２の識別情報ＨｅＮＢ  ＩＤは「ｙｙｙ.００１」であり、無線基地局ＨｅＮＢ＃３の識別情報ＨｅＮＢ  ＩＤは「ｙｙｙ.００２」であり、ゲートウェイ装置ＨｅＮＢ-ＧＷの識別情報ＨｅＮＢ  ＩＤは「ｙｙｙ.０００」である。
【００３０】
また、無線基地局ＨｅＮＢ＃１のＣＳＧ  ＩＤ（登録グループ識別情報）は「＃２２」であり、無線基地局ＨｅＮＢ＃２のＣＳＧ  ＩＤは「＃３１」であり、無線基地局ＨｅＮＢ＃３のＣＳＧ  ＩＤは「＃３２」である。なお、ゲートウェイ装置ＨｅＮＢ-ＧＷには、無線基地局ＨｅＮＢ＃２のＣＳＧ  ＩＤ＃３１及び無線基地局ＨｅＮＢ＃３のＣＳＧ  ＩＤ＃３２が管理されている。
【００３１】
なお、無線基地局ＨｅＮＢ＃１の識別情報ＨｅＮＢ  ＩＤは、無線基地局ＨｅＮＢ＃１配下のセルに係るＥ-ＣＧＩの下位２８ビットのＣｅｌｌ  Ｉｄｅｎｔｉｔｙと同一であり、無線基地局ＨｅＮＢ＃２の識別情報ＨｅＮＢ  ＩＤは、無線基地局ＨｅＮＢ＃２配下のセルに係るＥ-ＣＧＩの下位２８ビットのＣｅｌｌ  Ｉｄｅｎｔｉｔｙと同一であり、無線基地局ＨｅＮＢ＃３の識別情報ＨｅＮＢ  ＩＤは、無線基地局ＨｅＮＢ＃３配下のセルに係るＥ-ＣＧＩの下位２８ビットのＣｅｌｌ  Ｉｄｅｎｔｉｔｙと同一である。
【００３２】
また、無線基地局ｅＮＢ配下のセルに係るＥ-ＣＧＩの下位２８ビットのＣｅｌｌ  Ｉｄｅｎｔｉｔｙは、無線基地局ｅＮＢの識別情報ｅＮＢ  ＩＤ（２０ビット）と、かかる無線基地局ｅＮＢ配下のセルを識別するＩＤ（８ビット）とによって構成されている。
【００３３】
また、移動局ＵＥは、移動局ＵＥが属しているＣＳＧ  ＩＤ、すなわち、移動局ＵＥがアクセス可能なＣＳＧセルを識別するＣＳＧ  ＩＤを示すＡｌｌｏｗｅｄ  ＣＳＧ  ＩＤ  Ｌｉｓｔを管理している。
【００３４】
さらに、交換局ＭＭＥは、移動局ＵＥが属しているＣＳＧ  ＩＤ、すなわち、移動局ＵＥがアクセス可能なＣＳＧセルを識別するＣＳＧ  ＩＤを示すＵＥ  ＣＳＧ  Ｓｕｂｓｃｒｉｐｔｉｏｎ  ｉｎｆｏｒｍａｔｉｏｎを管理している。
【００３５】
図２に示すように、ゲートウェイ装置ＨｅＮＢ-ＧＷに接続している無線基地局ＨｅＮＢ＃２、ＨｅＮＢ＃３（以下、代表して無線基地局ＨｅＮＢと表記する）は、管理部１１と、ハンドオーバ処理部１２と、判定部１３とを具備している。
【００３６】
管理部１１は、無線基地局ＨｅＮＢのＣＳＧ  ＩＤや、無線基地局ｅＮＢの識別情報ｅＮＢ  ＩＤ等を管理するように構成されている。
【００３７】
ハンドオーバ処理部１２は、移動局ＵＥに係るハンドオーバ処理を行う、例えば、ゲートウェイ装置ＨｅＮＢ-ＧＷを介して、交換局ＭＭＥとの間で、ハンドオーバ処理に係る信号の送受信を行うように構成されている。
【００３８】
例えば、ハンドオーバ処理部１２は、ゲートウェイ装置ＨｅＮＢ-ＧＷを介して、交換局ＭＭＥから、移動局ＵＥが無線基地局ＨｅＮＢ＃２のＣＳＧ  ＩＤに属しているか否かについて、すなわち、移動局ＵＥが無線基地局ＨｅＮＢに対してＣＳＧアクセス権を有しているか否かについて示すＣＳＧ  Ｍｅｍｂｅｒｓｈｉｐ  Ｓｔａｔｕｓ及び無線基地局ＨｅＮＢのＣＳＧ  ＩＤを含むＨＡＮＤＯＶＥＲ  ＲＥＱＵＥＳＴを受信するように構成されている。
【００３９】
判定部１３は、Ｃｏｎｓｉｓｔｅｎｃｙ  Ｃｈｅｃｋによって、ハンドオーバ処理部１２によって受信されたＨＡＮＤＯＶＥＲ  ＲＥＱＵＥＳＴに含まれる無線基地局ＨｅＮＢのＣＳＧ  ＩＤと、管理部１１によって管理されている無線基地局ＨｅＮＢのＣＳＧ  ＩＤとが一致するか否かについて、すなわち、移動局ＵＥが無線基地局ＨｅＮＢに対してＣＳＧアクセス権を有しているか否かについて判定するように構成されている。
【００４０】
ここで、無線基地局ＨｅＮＢが、ｈｙｂｒｉｄモードで動作している場合で、かつ、判定部１３によって、ハンドオーバ処理部１２によって受信されたＨＡＮＤＯＶＥＲ  ＲＥＱＵＥＳＴに含まれる無線基地局ＨｅＮＢのＣＳＧ  ＩＤと、管理部１１によって管理されている無線基地局ＨｅＮＢのＣＳＧ  ＩＤとが一致しないと判定された場合、ハンドオーバ処理部１２は、ゲートウェイ装置ＨｅＮＢ-ＧＷを介して、交換局ＭＭＥに対して、移動局ＵＥが無線基地局ＨｅＮＢのＣＳＧ  ＩＤに属していない旨、すなわち、移動局ＵＥが無線基地局ＨｅＮＢに対してＣＳＧアクセス権を有している旨を示すＣＳＧ  Ｍｅｍｂｅｒｓｈｉｐ  Ｓｔａｔｕｓ（ｎｏｎ  ｍｅｍｂｅｒ）を含むＨＡＮＤＯＶＥＲ  ＲＥＱＵＥＳＴ  ＡＣＫを送信するように構成されている。
【００４１】
図３に、かかる場合に、ハンドオーバ処理部１２によって送信されるＨＡＮＤＯＶＥＲ  ＲＥＱＵＥＳＴ  ＡＣＫに含まれる情報要素の一例を示す。
【００４２】
かかるＨＡＮＤＯＶＥＲ  ＲＥＱＵＥＳＴ  ＡＣＫに含まれる情報要素「ＣＳＧ  Ｍｅｎｂｅｒｓｈｉｐ  Ｓｔａｔｕｓ」には、移動局ＵＥが無線基地局ＨｅＮＢのＣＳＧ  ＩＤに属していない旨、すなわち、移動局ＵＥが無線基地局ＨｅＮＢに対してＣＳＧアクセス権を有していない旨を示す「ｎｏｎ  ｍｅｍｂｅｒ」、或いは、移動局ＵＥが無線基地局ＨｅＮＢのＣＳＧ  ＩＤに属している旨、すなわち、移動局ＵＥが無線基地局ＨｅＮＢに対してＣＳＧアクセス権を有している旨を示す「ｍｅｍｂｅｒ」のいずれかが設定可能である。
【００４３】
ここで、図３の「ＩＥ  ｔｙｐｅ  ａｎｄ  ｒｅｆｅｒｅｎｃｅ」の列には、３ＧＰＰ  ＴＳ３６.４１３の章番号が記載されている。
【００４４】
なお、ｈｙｂｒｉｄモードは、無線基地局ＨｅＮＢにおける登録移動局（Ｍｅｍｂｅｒ）及び非登録移動局（Ｎｏｎ  Ｍｅｍｂｅｒ）のそれぞれに対して差別化して移動通信サービスを提供することができるアクセスモードを示す。アクセスモードとしては、他に、全ての移動局に対して移動通信サービスを提供することができるｏｐｅｎモードや、登録移動局（Ｍｅｍｂｅｒ）に対してのみ移動通信サービスを提供することができるｃｌｏｓｅｄモードが存在する。
【００４５】
（本発明の第１の実施形態に係る移動通信システムの動作）
図４を参照して、本発明の第１の実施形態に係る移動通信システムの動作について説明する。
【００４６】
図４に示すように、ステップＳ１００１において、移動局ＵＥは、無線基地局ｅＮＢに対して、セル＃２に係るＰＣＩ及びＥ-ＣＧＩ（ｙｙｙ.００１）と、虚偽の無線基地局ＨｅＮＢ＃２のＣＳＧ  ＩＤ＃２２とを含むＭｅａｓｕｒｅｍｅｎｔ  Ｒｅｐｏｒｔを送信する。
【００４７】
ステップＳ１００２において、無線基地局ｅＮＢは、交換局ＭＭＥに対して、セル＃２に係るＥ-ＣＧＩ（ｙｙｙ.００１）と、受信したＭｅａｓｕｒｅｍｅｎｔ  Ｒｅｐｏｒｔに含まれていた虚偽の無線基地局ＨｅＮＢ＃２のＣＳＧ  ＩＤ＃２２と、Ａｃｃｅｓｓ  Ｍｏｄｅ（ｈｙｂｒｉｄ）とを含むＨＡＮＤＯＶＥＲ  ＲＥＱＵＩＲＥＤを送信する。
【００４８】
ステップＳ１００３において、交換局ＭＭＥは、ＵＥ  ＣＳＧ  Ｓｕｂｓｃｒｉｐｔｉｏｎ  ｉｎｆｏｒｍａｔｉｏｎを用いたＡｃｃｅｓｓ  Ｃｈｅｃｋによって、受信したＨＡＮＤＯＶＥＲ  ＲＥＱＵＩＲＥＤに含まれる虚偽の無線基地局ＨｅＮＢ＃２のＣＳＧ  ＩＤ＃２２に移動局ＵＥが属している、すなわち、受信したＨＡＮＤＯＶＥＲ  ＲＥＱＵＩＲＥＤに含まれる虚偽のＣＳＧ  ＩＤ＃２２によって特定される無線基地局ＨｅＮＢ＃２に対してＣＳＧアクセス権を有していると判定する。
【００４９】
なお、無線基地局ＨｅＮＢ＃２は、ゲートウェイ装置ＨｅＮＢ-ＧＷに接続されているため、交換局ＭＭＥは、無線基地局ＨｅＮＢ＃２のＣＳＧ  ＩＤについて管理していない。
【００５０】
ステップＳ１００４において、交換局ＭＭＥは、無線基地局ＨｅＮＢ＃２のＣＳＧ  ＩＤ＃２２と、移動局ＵＥが無線基地局ＨｅＮＢ＃２のＣＳＧ  ＩＤ＃２２に属している旨、すなわち、移動局ＵＥが無線基地局ＨｅＮＢ＃２に対してＣＳＧアクセス権を有している旨を示すＣＳＧ  Ｍｅｍｂｅｒｓｈｉｐ  Ｓｔａｔｕｓ（ｍｅｍｂｅｒ）とを含むＨＡＮＤＯＶＥＲ  ＲＥＱＵＥＳＴを、ゲートウェイ装置ＨｅＮＢ-ＧＷを介して無線基地局ＨｅＮＢ＃２に送信する。
【００５１】
ステップＳ１００５において、無線基地局ＨｅＮＢ＃２は、Ｃｏｎｓｉｓｔｅｎｃｙ  Ｃｈｅｃｋによって、受信したＨＡＮＤＯＶＥＲ  ＲＥＱＵＥＳＴに含まれる無線基地局ＨｅＮＢ＃２のＣＳＧ  ＩＤ＃２２と、自身が管理する無線基地局ＨｅＮＢ＃２のＣＳＧ  ＩＤ＃３１とが一致しない、すなわち、移動局ＵＥが無線基地局ＨｅＮＢ＃２に対してＣＳＧアクセス権を有していないと判定する。
【００５２】
ステップＳ１００６において、無線基地局ＨｅＮＢ＃２は、移動局ＵＥに対して非登録移動局（Ｎｏｎ  Ｍｅｍｂｅｒ）としての移動通信サービスを提供することを決定し、ゲートウェイ装置ＨｅＮＢ-ＧＷを介して、交換局ＭＭＥに対して、移動局ＵＥが無線基地局ＨｅＮＢのＣＳＧ  ＩＤに属していない旨、すなわち、移動局ＵＥが無線基地局ＨｅＮＢに対するアクセス権を有していない旨を示すＣＳＧ  Ｍｅｍｂｅｒｓｈｉｐ  Ｓｔａｔｕｓ（ｎｏｎ  ｍｅｍｂｅｒ）を含むＨＡＮＤＯＶＥＲ  ＲＥＱＵＥＳＴ  ＡＣＫを送信する。
【００５３】
ここで、ＣＳＧ  Ｍｅｍｂｅｒｓｈｉｐ  Ｓｔａｔｕｓ（ｎｏｎ  ｍｅｍｂｅｒ）を含むＨＡＮＤＯＶＥＲ  ＲＥＱＵＥＳＴ  ＡＣＫを受信した交換局ＭＭＥは、移動局ＵＥに対して非登録移動局（Ｎｏｎ  Ｍｅｍｂｅｒ）としての移動通信サービスを提供することが決定されたこと、及び、移動局ＵＥによって虚偽の無線基地局ＨｅＮＢ＃２のＣＳＧ  ＩＤ＃２２が通知されたことを認識することができる。
【００５４】
そのため、交換局ＭＭＥは、かかるＨＡＮＤＯＶＥＲ  ＲＥＱＵＥＳＴ  ＡＣＫを受信した場合に、移動局ＵＥによる以降の通信を不可とする等の所定の処理を行うように構成されていてもよい。
【００５５】
（本発明の第１の実施形態に係る移動通信システムの作用・効果）
本発明の第１の実施形態に係る移動通信システムによれば、移動局ＵＥが、虚偽の無線基地局ＨｅＮＢ＃２のＣＳＧ  ＩＤ＃２２を含むＭｅａｓｕｒｅｍｅｎｔ  Ｒｅｐｏｒｔを送信した場合であっても、交換局ＭＭＥと無線基地局ＨｅＮＢ＃２との間で、かかる移動局ＵＥについてのＣＳＧ  Ｍｅｍｂｅｒｓｈｉｐ  Ｓｔａｔｕｓの同期を図ることができる。
【００５６】
また、本発明の第１の実施形態に係る移動通信システムによれば、虚偽の無線基地局ＨｅＮＢ＃２のＣＳＧ  ＩＤ＃２２を通知した移動局ＵＥに対して、何らかの対処を取ることができる。
【００５７】
以上に述べた本実施形態の特徴は、以下のように表現されていてもよい。
【００５８】
本実施形態の第１の特徴は、ゲートウェイ装置ＨｅＮＢ-ＧＷに接続されている無線基地局ＨｅＮＢ＃２（第２無線基地局）が、無線基地局ＨｅＮＢ＃２における登録移動局（Ｍｅｍｂｅｒ）及び非登録移動局（Ｎｏｎ  Ｍｅｍｂｅｒ）のそれぞれに対して差別化して移動通信サービスを提供することができるｈｙｂｒｉｄモード（ハイブリッドモード）で動作している場合に、移動局ＵＥの無線基地局ｅＮＢ（第１無線基地局）配下のセルから無線基地局ＨｅＮＢ＃２配下のセルに対するハンドオーバ処理を行う移動通信方法であって、交換局ＭＭＥが、無線基地局ｅＮＢから、無線基地局ＨｅＮＢ＃２のＣＳＧ  ＩＤ＃２２（登録グループ識別情報）を含むＨＡＮＤＯＶＥＲ  ＲＥＱＵＩＲＥＤ（第１ハンドオーバ要求信号）を受信する工程と、交換局ＭＭＥが、移動局ＵＥが無線基地局ＨｅＮＢ＃２のＣＳＧ  ＩＤ＃２２に属していると判定した場合、その旨を示すＣＳＧ  Ｍｅｍｂｅｒｓｈｉｐ  Ｓｔａｔｕｓ（ｍｅｍｂｅｒ）（第１所定情報）及び無線基地局ＨｅＮＢ＃２のＣＳＧ  ＩＤ＃２２を含むＨＡＮＤＯＶＥＲ  ＲＥＱＵＥＳＴ（第２ハンドオーバ要求信号）を、ゲートウェイ装置ＨｅＮＢ-ＧＷを介して無線基地局ＨｅＮＢ＃２に送信する工程と、無線基地局ＨｅＮＢ＃２が、ＨＡＮＤＯＶＥＲ  ＲＥＱＵＥＳＴに含まれる無線基地局ＨｅＮＢ＃２のＣＳＧ  ＩＤ＃２２と、自身が管理する無線基地局ＨｅＮＢ＃２のＣＳＧ  ＩＤ＃３１とが一致しないと判定した場合、移動局ＵＥに対して非登録移動局（Ｎｏｎ  Ｍｅｍｂｅｒ）としての移動通信サービスを提供することを決定し、移動局ＵＥが無線基地局ＨｅＮＢ＃２のＣＳＧ  ＩＤ＃３１に属していない旨を示すＣＳＧ  Ｍｅｍｂｅｒｓｈｉｐ  Ｓｔａｔｕｓ（ｎｏｎ  ｍｅｍｂｅｒ）（第２所定情報）を含むＨＡＮＤＯＶＥＲ  ＲＥＱＵＥＳＴ  ＡＣＫ（ハンドオーバ応答信号）を、ゲートウェイ装置ＨｅＮＢ-ＧＷを介して交換局ＭＭＥに送信する工程とを有することを要旨とする。
【００５９】
本実施形態の第１の特徴において、交換局ＭＭＥが、ＣＳＧ  Ｍｅｍｂｅｒｓｈｉｐ  Ｓｔａｔｕｓ（ｎｏｎ  ｍｅｍｂｅｒ）を含むＨＡＮＤＯＶＥＲ  ＲＥＱＵＥＳＴ  ＡＣＫを受信した場合に、移動局ＵＥによる以降の通信を不可とする工程を更に有してもよい。
【００６０】
本実施形態の第２の特徴は、ゲートウェイ装置ＨｅＮＢ-ＧＷに接続されている無線基地局ＨｅＮＢであって、ゲートウェイ装置ＨｅＮＢ-ＧＷを介して、交換局ＭＭＥから、移動局ＵＥが無線基地局ＨｅＮＢ＃２のＣＳＧ  ＩＤに属しているか否かについて示すＣＳＧ  Ｍｅｍｂｅｒｓｈｉｐ  Ｓｔａｔｕｓ及び無線基地局ＨｅＮＢのＣＳＧ  ＩＤを含むＨＡＮＤＯＶＥＲ  ＲＥＱＵＥＳＴを受信するように構成されているハンドオーバ処理部１２と、ＨＡＮＤＯＶＥＲ  ＲＥＱＵＥＳＴに含まれる無線基地局ＨｅＮＢのＣＳＧ  ＩＤと、自身が管理する無線基地局ＨｅＮＢのＣＳＧ  ＩＤとが一致するか否かについて判定するように構成されている判定部１３とを具備し、ｈｙｂｒｉｄモードで動作している場合で、かつ、判定部１３によって、ＨＡＮＤＯＶＥＲ  ＲＥＱＵＥＳＴに含まれる無線基地局ＨｅＮＢのＣＳＧ  ＩＤと、自身が管理する無線基地局ＨｅＮＢのＣＳＧ  ＩＤとが一致しないと判定された場合、ハンドオーバ処理部１２は、ゲートウェイ装置ＨｅＮＢ-ＧＷを介して、交換局ＭＭＥに対して、移動局ＵＥが無線基地局ＨｅＮＢのＣＳＧ  ＩＤに属していない旨を示すＣＳＧ  Ｍｅｍｂｅｒｓｈｉｐ  Ｓｔａｔｕｓ（ｎｏｎ  ｍｅｍｂｅｒ）を含むＨＡＮＤＯＶＥＲ  ＲＥＱＵＥＳＴ  ＡＣＫを送信するように構成されていることを要旨とする。
【００６１】
なお、上述の移動局ＵＥや無線基地局ＨｅＮＢやゲートウェイ装置ＨｅＮＢ-ＧＷや交換局ＭＭＥの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＨｅＮＢやゲートウェイ装置ＨｅＮＢ-ＧＷや交換局ＭＭＥ内に設けられていてもよい。また、かかる記憶媒体及びプロセッサは、ディスクリートコンポーネントとして移動局ＵＥや無線基地局ＨｅＮＢやゲートウェイ装置ＨｅＮＢ-ＧＷや交換局ＭＭＥ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００６５】
ＨｅＮＢ…無線基地局
１１…管理部
１２…ハンドオーバ処理部
１３…判定部
【図１】
2011097476.tif 000003
【図２】
2011097476.tif 000004
【図３】
2011097476.tif 000005
【図４】
2011097476.tif 000006
【図５】
2011097476.tif 000007
【図６】
2011097476.tif 000008